(57)【特許請求の範囲】
【請求項１】
複数の送信先に向けて同時に配信される同一内容の配信情報を受信する配信情報処理部と、
前記配信情報以外の非配信情報の送信または受信に関する処理を実行する通信処理部と、
前記配信情報処理部及び前記通信処理部によって共用され、前記配信情報または前記非配信情報の何れかを選択して処理する無線通信部と、
前記通信処理部が前記無線通信部を介して前記非配信情報を送信または受信している際に配信される配信情報が再配信されない場合、当該配信情報が再配信されないことを報知する制御部と、
を備える無線通信装置。
【請求項２】
複数の送信先に向けて同時に配信される同一内容の配信情報を受信する配信情報処理部と、
前記配信情報以外の非配信情報の送信または受信に関する処理を実行する通信処理部と、
前記配信情報処理部及び前記通信処理部によって共用され、前記配信情報または前記非配信情報の何れかを選択して処理する無線通信部と、
前記配信情報の配信タイミングの所定時間前から該配信タイミングまでの間において、前記非配信情報の送信が必要な操作が行われると、当該配信情報が再配信される場合には前記非配信情報を送信する制御部と、
を備える無線通信装置。
【発明の詳細な説明】
【技術分野】
【０００１】
本発明は、移動体通信システムにおいて用いられる無線通信装置に関する。具体的には、本発明は、動画像などの配信情報を受信する配信情報処理部と、音声通話や電子メールの送受信などに関する処理を実行する通信処理部とによって、ひとつの無線通信部が共用される無線通信装置に関する。
【背景技術】
【０００２】
符号分割多元接続（ＣＤＭＡ）を用いた移動体通信システムでは、高速なデータ通信機能、例えば、1xEV-DO（1x evolution - data only）を用いた様々な通信サービスが提供されている。
【０００３】
また、近年では、1xEV-DOが用いられる移動体通信システムにおいて、動画像などによって構成されるコンテンツを、ブロードキャストやマルチキャストを用いて同時に多数の無線通信装置（例えば、無線通信端末や、カーナビゲーションシステムに接続される無線通信カードモジュールなど）に向けて配信するＢＣＭＣＳ（broadcast/multicast services）も提供されている（例えば、非特許文献１）。
【非特許文献１】“CDMA2000 High Rate Broadcast-Multicast Packet Data Air Interface Specification (C.S0054-0 Version 1.0) - Section 1: Overview”、３ＧＰＰ２、２００４年２月
【発明の開示】
【発明が解決しようとする課題】
【０００４】
ところで、上述した従来の無線通信装置では、ＢＣＭＣＳによって配信されるコンテンツ（以下、“配信情報”と適宜省略する）に関する処理を実行する配信情報処理部と、音声通話や電子メールなど、配信情報以外の情報（以下、“非配信情報”と適宜省略する）の送受信に関する処理を実行する通信処理部とによって、ひとつの無線通信部が共用される。
【０００５】
このため、従来の無線通信装置は、配信情報を受信している最中には、非配信情報を送受信することができないといった問題があった。
【０００６】
つまり、当該無線通信装置のユーザは、配信情報の受信と、非配信情報の送受信とが競合した場合、配信情報の受信または非配信情報の送受信の何れかを逐一選択しなければならない。このため、ユーザが行うべき無線通信装置の操作が煩雑となったり、配信情報の受信機会を逃したりするといった問題があった。
【０００７】
そこで、本発明は、このような状況に鑑みてなされたものであり、配信情報の受信と、非配信情報の送信または受信とによって無線通信部が共用される無線通信装置において、無線通信装置の操作性を向上するとともに、必要な配信情報をより確実に受信することができる無線通信装置を提供することを目的とする。
【課題を解決するための手段】
【０００８】
上述した問題を解決するため、本発明は、次のような特徴を有している。まず、本発明の第１の特徴は、複数の送信先に向けて同時に配信される同一内容の配信情報を受信する配信情報処理部（ＢＣＭＣＳ処理部２０７）と、前記配信情報以外の非配信情報の送信または受信に関する処理を実行する通信処理部（通信処理部２０５）と、前記配信情報処理部及び前記通信処理部によって共用され、前記配信情報または前記非配信情報の何れかを選択して処理する無線通信部（無線通信部２０１）と、前記配信情報処理部が前記無線通信部を介して前記配信情報を受信しているときに、前記非配信情報の送信が必要な操作（例えば、音声通話）が行われた場合、前記操作に係る送信非配信情報（配信コンテンツＣ１）の内容、または前記配信情報処理部が受信している受信配信情報（音声通話データＶ１）の状態に基づいて、前記送信非配信情報を送信するか否かを制御する制御部とを備える無線通信装置（例えば、無線通信端末２００Ａ）であることを要旨とする。
【０００９】
本発明の第２の特徴は、本発明の第１の特徴に係り、前記受信配信情報のうち、まだ受信していない未受信部分（未受信部分Ｃ１ａ）の情報量が所定の閾値以上である場合、前記受信配信情報の受信継続または前記送信非配信情報の送信の何れかを前記無線通信装置のユーザに選択させる選択処理部（操作部２１１及び表示部２１３）をさらに備え、前記制御部は、前記選択処理部からの指示に基づいて、前記送信非配信情報を送信するか否かを制御することを要旨とする。
【００１０】
本発明の第３の特徴は、本発明の第１の特徴に係り、前記制御部は、前記受信配信情報のうち、まだ受信していない未受信部分の情報量が所定の閾値未満である場合、前記受信配信情報の受信完了後に前記送信非配信情報を送信することを要旨とする。
【００１１】
本発明の第４の特徴は、本発明の第１の特徴に係り、前記制御部は、前記送信非配信情報の送信先を示す送信先識別子（例えば、電話番号）に基づいて、前記送信非配信情報を送信するか否かを制御することを要旨とする。
【００１２】
本発明の第５の特徴は、本発明の第１の特徴に係り、前記非配信情報の送信または受信よりも優先して受信するべき優先配信情報（例えば、今日のニュース）を前記無線通信装置のユーザに指定させ、指定された前記優先配信情報を示す優先配信情報識別子を前記記憶部に記憶する指定処理部（操作部２１１及び表示部２１３）をさらに備え、前記制御部は、前記受信配信情報が前記記憶部に記憶されている前記優先配信情報識別子と合致する場合、前記非配信情報の送信または受信を取り止め、前記受信配信情報の受信を継続することを要旨とする。
【００１３】
本発明の第６の特徴は、複数の送信先に向けて同時に配信される同一内容の配信情報を受信する配信情報処理部（ＢＣＭＣＳ処理部２０７）と、前記配信情報以外の非配信情報（音声通話データＶ２）の送信または受信に関する処理を実行する通信処理部（通信処理部２０５）と、前記配信情報処理部及び前記通信処理部によって共用され、前記配信情報または前記非配信情報の何れかを選択して処理する無線通信部（無線通信部２０１）と、前記配信情報の配信タイミング（タイミングｔ１３）を少なくとも記憶する記憶部（記憶部２０９）と、前記通信処理部が前記無線通信部を介して前記非配信情報を送信または受信しているときに、前記記憶部に記憶された前記配信タイミングが到来した場合、受信の対象となる対象配信情報（配信コンテンツＣ２）の内容に基づいて、前記非配信情報の送信または受信を継続するか否かを制御する制御部（制御部２０３）とを備える無線通信装置（例えば、無線通信端末２００Ａ）であることを要旨とする。
【００１４】
本発明の第７の特徴は、本発明の第６の特徴に係り、前記制御部は、前記配信タイミングよりも後（タイミングｔ１４）において前記対象配信情報が再配信される場合、前記非配信情報の送信または受信を継続することを要旨とする。
【００１５】
本発明の第８の特徴は、本発明の第６の特徴に係り、前記制御部は、前記配信タイミングよりも後において前記対象配信情報が再配信されない場合、前記非配信情報の送信または受信の継続しつつ前記対象配信情報が再配信されないことを報知することを要旨とする。
【００１６】
本発明の第９の特徴は、本発明の第６の特徴に係り、前記非配信情報の送信または受信よりも優先して受信するべき優先配信情報（例えば、今日のニュース）を前記無線通信装置のユーザに指定させ、指定された前記優先配信情報を前記記憶部に記憶する指定処理部（操作部２１１及び表示部２１３）をさらに備え、前記制御部は、前記対象配信情報が前記記憶部に記憶されている前記優先配信情報と合致する場合、前記非配信情報の送信または受信を中止し、前記対象配信情報を受信することを要旨とする。
【００１７】
本発明の第１０の特徴は、本発明の第６の特徴に係り、前記制御部は、前記非配信情報の送信先または送信元を示す送信先識別子（例えば、電話番号）に基づいて、前記非配信情報の送信または受信を継続するか否かを制御することを要旨とする。
【００１８】
本発明の第１１の特徴は、複数の送信先に向けて同時に配信される同一内容の配信情報を受信する配信情報処理部（ＢＣＭＣＳ処理部２０７）と、前記配信情報以外の非配信情報の送信または受信に関する処理を実行する通信処理部（通信処理部２０５）と、前記配信情報処理部及び前記通信処理部によって共用され、前記配信情報または前記非配信情報の何れかを選択して処理する無線通信部（無線通信部２０１）と、前記配信情報の配信タイミング（タイミングｔ２２）を少なくとも記憶する記憶部（記憶部２０９）と、前記記憶部に記憶された前記配信タイミングよりも所定時間前の判定タイミング（タイミングｔ２１）から、前記配信タイミングまでの間において、前記非配信情報の送信が必要な操作が行われた場合、前記操作に係る送信非配信情報（音声通話データＶ３）の内容、または前記配信情報処理部が受信の対象とする対象配信情報（配信コンテンツＣ３）の内容に基づいて、前記送信非配信情報を送信するか否かを制御する制御部（制御部２０３）とを備える無線通信装置（例えば、無線通信端末２００Ａ）であることを要旨とする。
【００１９】
本発明の第１２の特徴は、本発明の第１１の特徴に係り、前記制御部は、前記配信タイミングよりも後（タイミングｔ２３）において前記対象配信情報が再配信される場合、前記送信非配信情報を送信することを要旨とする。
【００２０】
本発明の第１３の特徴は、本発明の第１１の特徴に係り、前記制御部は、前記配信タイミングよりも後において前記対象配信情報が再配信されない場合、前記送信非配信情報の送信に先立って、前記対象配信情報が再配信されないことを報知することを要旨とする。
【００２１】
本発明の第１４の特徴は、本発明の第１１の特徴に係り、前記非配信情報の送信または受信よりも優先して受信するべき優先配信情報（例えば、今日のニュース）を前記無線通信装置のユーザに指定させ、指定された前記優先配信情報を示す優先配信情報識別子を前記記憶部に記憶する指定処理部（操作部２１１及び表示部２１３）をさらに備え、前記制御部は、前記対象配信情報が前記記憶部に記憶されている前記優先配信情報識別子と合致する場合、前記送信非配信情報を取り止め、前記対象配信情報を受信することを要旨とする。
【００２２】
本発明の第１５の特徴は、本発明の第１１の特徴に係り、前記制御部は、前記送信非配信情報の送信先を示す送信先識別子（例えば、電話番号）に基づいて、前記非配信情報を送信するか否かを制御することを要旨とする。
【発明の効果】
【００２３】
本発明の特徴によれば、配信情報の受信と、当該配信情報の受信以外のサービスとによって無線通信部が共用される無線通信装置において、無線通信装置の操作性を向上するとともに、必要な配信情報をより確実に受信することができる無線通信装置を提供することができる。
【発明を実施するための最良の形態】
【００２４】
次に、本発明の実施形態について説明する。なお、以下の図面の記載において、同一または類似の部分には、同一または類似の符号を付している。ただし、図面は模式的なものであり、各寸法の比率などは現実のものとは異なることに留意すべきである。
【００２５】
したがって、具体的な寸法などは以下の説明を参酌して判断すべきものである。また、図面相互間においても互いの寸法の関係や比率が異なる部分が含まれていることは勿論である。
【００２６】
（移動体通信システムの全体概略構成）
図１は、本実施形態に係る無線通信装置を含む移動体通信システム１０の全体概略構成図である。
【００２７】
移動体通信システム１０は、符号分割多元接続（ＣＤＭＡ）を用いた移動体通信システムである。移動体通信システム１０では、無線基地局１１０と、無線通信端末２００Ａ，２００Ｂとの間において、無線通信が実行される。なお、移動体通信システム１０を構成する無線基地局及び無線通信端末の数は、図１に示した数に限定されるものではない。
【００２８】
無線通信端末２００Ａ，２００Ｂ（無線通信装置）は、携帯電話端末であり、音声通話や電子メールの送受信機能を備える。
【００２９】
また、無線通信端末２００Ａ，２００Ｂは、動画像などによって構成されるコンテンツを受信する機能を備える。具体的には、無線通信端末２００Ａ，２００Ｂは、ＢＣＭＣＳ（broadcast/multicast services）の仕様にしたがい、ブロードキャストやマルチキャストを用いて複数の送信先に向けて同時に配信される同一内容のコンテンツを受信することができる。
【００３０】
また、本実施形態では、自動車５０に搭載されるカーナビゲーションシステム（不図示）に接続される無線通信カードモジュール２５０も、カーナビゲーションシステムと連携することによって、無線通信端末２００Ａ，２００Ｂと同様の機能を提供することができる。
【００３１】
無線基地局１１０、ＢＣＭＣＳコントローラ１２０及びコンテンツサーバ１３０は、通信ネットワーク１００によって接続される。
【００３２】
ＢＣＭＣＳコントローラ１２０は、コンテンツサーバ１３０に格納されているコンテンツの無線通信端末２００Ａ，２００Ｂ及び無線通信カードモジュール２５０への配信を制御する。具体的には、ＢＣＭＣＳコントローラ１２０は、コンテンツごとの配信時刻や、ＢＣＭＣＳによる当該コンテンツの配信経路の制御などを実行する。
【００３３】
（無線通信装置の機能ブロック構成）
図２は、本実施形態に係る無線通信装置を構成する無線通信端末２００Ａの機能ブロック構成図である。
【００３４】
図２に示すように、無線通信端末２００Ａは、無線通信部２０１、制御部２０３、通信処理部２０５、ＢＣＭＣＳ処理部２０７、記憶部２０９、操作部２１１及び表示部２１３を備える。
【００３５】
無線通信端末２００Ｂも無線通信端末２００Ａと同様の機能ブロック構成を有する。また、無線通信カードモジュール２５０（図１参照）は、記憶部２０９、操作部２１１及び表示部２１３を備えていないが、当該機能は、自動車５０に搭載されるカーナビゲーションシステム（不図示）によって提供される。
【００３６】
また、以下、本発明との関連がある部分について主に説明する。したがって、無線通信端末２００Ａは、無線通信端末２００Ａとしての機能を実現する上で必須な、図示しない或いは説明を省略した論理ブロック（電源部など）を備える場合があることに留意されたい。
【００３７】
無線通信部２０１は、ＣＤＭＡにしたがった無線信号を送受信する。また、無線通信部２０１は、通信処理部２０５及びＢＣＭＣＳ処理部２０７が送受信するベースバンド信号と無線信号との変換を実行する。
【００３８】
具体的には、無線通信部２０１は、ＢＣＭＣＳ処理部２０７がコンテンツサーバ１３０から受信するコンテンツ（配信情報）を含む無線信号をベースバンド信号（コンテンツデータ）に変換する。
【００３９】
また、無線通信部２０１は、通信処理部２０５が送受信する配信情報以外の情報、具体的には、音声通話や電子メールなどのデータ（非配信情報）を対象として、ベースバンド信号と無線信号との変換を実行する。
【００４０】
つまり、無線通信部２０１は、ＢＣＭＣＳ処理部２０７及び通信処理部２０５によって共用される。このため、無線通信部２０１は、ＢＣＭＣＳ処理部２０７が処理する配信情報、または通信処理部２０５が処理する非配信情報の両方を同時に処理することはできない。したがって、無線通信部２０１は、配信情報または非配信情報の何れかを選択して順次処理する。
【００４１】
制御部２０３は、無線通信端末２００Ａの各機能ブロックを制御する。特に、本実施形態では、制御部２０３は、配信情報と非配信情報の送受信を制御する。具体的には、制御部２０３は、（１）配信情報受信中における音声通話の開始、（２）音声通話中における配信情報の受信、（３）音声通話開始時における配信情報の受信、について制御することができる。
【００４２】
なお、制御部２０３は、音声通話に限らず、電子メールの送受信についても同様に制御することができる。以下、上述した（１）〜（３）の各制御の具体的な内容について説明する。
【００４３】
（１）配信情報受信中における音声通話の開始
制御部２０３は、図７（ａ）〜（ｃ）に示すように、配信コンテンツＣ１の受信中、具体的には、ＢＣＭＣＳ処理部２０７が無線通信部２０１を介して配信コンテンツＣ１を受信しているときに、音声通話データＶ１の送信が必要な操作が行われた場合、つまり、音声通話が開始された場合、以下のように制御する。
【００４４】
制御部２０３は、音声通話データＶ１（送信非配信情報）の内容、またはＢＣＭＣＳ処理部２０７が受信している配信コンテンツＣ１（受信配信情報）の状態に基づいて、音声通話データＶ１を送信するか否かを制御する。
【００４５】
具体的には、制御部２０３は、タイミングｔ１において、開始する音声通話の通話先の電話番号、配信コンテンツＣ１の名称、または配信コンテンツＣ１の未受信部分Ｃ１ａ（図７（ｂ），（ｃ）参照）の情報量などに基づいて、音声通話データＶ１（例えば、音声通話の開始に伴う発信信号など）を送信するか否かを制御する。
【００４６】
制御部２０３は、ＢＣＭＣＳ処理部２０７が受信している配信コンテンツＣ１のうち、まだ受信していない未受信部分Ｃ１ａの情報量が所定の閾値（例えば、未受信部分Ｃ１ａの情報量を受信するために必要なダウンロード時間が３０秒）未満である場合、配信コンテンツＣ１の受信完了後（図７（ｃ）に示すタイミングｔ２）に、音声通話データＶ１を送信することができる。
【００４７】
制御部２０３は、操作部２１１からの指示に基づいて、音声通話データＶ１を送信するか否かを制御することができる。特に、未受信部分Ｃ１ａが所定の閾値以上である場合（図７（ｂ）参照）などにおいて、制御部２０３がこのようなに制御すると効果的である。
【００４８】
また、制御部２０３は、音声通話データＶ１の送信先を示す電話番号（送信先識別子）に基づいて、音声通話データＶ１を送信するか否かを制御することができる。
【００４９】
さらに、制御部２０３は、記憶部２０９に記憶されている配信コンテンツＣ１の名称、例えば、配信される番組名（優先配信情報識別子）と配信コンテンツＣ１とが合致する場合、音声通話データＶ１の送信または受信を取り止め、配信コンテンツＣ１の受信を継続することともできる。
【００５０】
（２）音声通話中における配信情報の受信
制御部２０３は、図８（ａ）〜（ｃ）に示すように、音声通話中に配信コンテンツＣ２の受信が必要となった場合、具体的には、音声通話中に配信コンテンツＣ２の配信タイミング（タイミングｔ１３）が到来した場合、以下のように制御する。
【００５１】
制御部２０３は、通信処理部２０５が無線通信部２０１を介して音声通話データＶ２を送信または受信しているときに、記憶部２０９に記憶された配信タイミング（タイミングｔ１３）が到来した場合、配信コンテンツＣ２（対象配信情報）の内容に基づいて、音声通話データＶ２の送信または受信を継続するか否かを制御する。
【００５２】
なお、具体的には、制御部２０３は、配信タイミング（タイミングｔ１３）よりも所定時間（例えば、２分）前のタイミングｔ１１において、音声通話データＶ２の送信または受信を継続するか否かを制御する。
【００５３】
制御部２０３は、タイミングｔ１３よりも後（タイミングｔ１４）において配信コンテンツＣ２が再配信される場合、音声通話データＶ２の送信または受信を継続することができる。また、制御部２０３は、タイミングｔ１３よりも後において当該配信情報が再配信されない場合、音声通話データＶ２の送信または受信の継続しつつ配信コンテンツＣ２が再配信されないことを報知することもできる。
【００５４】
また、制御部２０３は、記憶部２０９に記憶されている配信コンテンツＣ２の名称、例えば、配信される番組名（優先配信情報識別子）と配信コンテンツＣ２とが合致する場合、その旨を報知し、音声通話データＶ２の送信または受信を中止する。この結果、ＢＣＭＣＳ処理部２０７は、配信コンテンツＣ２を受信することができる。
【００５５】
さらに、制御部２０３は、音声通話データＶ２の送信先または送信元を示す送信先識別子（例えば、電話番号）に基づいて、音声通話データＶ２の送信または受信を継続するか否かを制御することもできる。
【００５６】
（３）音声通話開始時における配信情報の受信
制御部２０３は、図９（ａ）〜（ｃ）に示すように、音声通話の開始時に配信コンテンツＣ３の受信が必要となった場合、具体的には、音声通話の開始時において、配信コンテンツＣ３の配信タイミング（タイミングｔ２２）が迫っている場合、以下のように制御する。
【００５７】
制御部２０３は、記憶部２０９に記憶された配信タイミング（タイミングｔ２２）よりも所定時間（例えば、２分）前の判定タイミング（タイミングｔ２１）から、配信タイミングまでの間において、音声通話データＶ３の送信が必要な操作が行われた場合、音声通話データＶ３（送信非配信情報）の内容、または配信コンテンツＣ３（対象配信情報）の内容に基づいて、音声通話データＶ３を送信するか否か制御する。
【００５８】
制御部２０３は、タイミングｔ２２よりも後（タイミングｔ２３）において配信コンテンツＣ３が再配信される場合、音声通話データＶ３を送信することができる。また、制御部２０３は、タイミングｔ２２よりも後において配信コンテンツＣ３が再配信されない場合、音声通話データＶ３の送信に先立って、配信コンテンツＣ３が再配信されないことを報知することもできる。
【００５９】
また、制御部２０３は、記憶部２０９に記憶されている配信コンテンツＣ３の名称、例えば、配信される番組名（優先配信情報識別子）と配信コンテンツＣ３とが合致する場合、音声通話データＶ３の送信を取り止め、配信コンテンツＣ３を受信することができる。
【００６０】
さらに、制御部２０３は、音声通話データＶ３の送信先を示す送信先識別子（例えば、電話番号）に基づいて、音声通話データＶ３を送信するか否かを制御することもできる。
【００６１】
通信処理部２０５は、配信情報（例えば、配信コンテンツＣ１）以外の非配信情報（例えば、音声通話データＶ１）の送信または受信に関する処理を実行する。
【００６２】
ＢＣＭＣＳ処理部２０７は、コンテンツサーバ１３０によって配信される配信情報を受信する。本実施形態において、ＢＣＭＣＳ処理部２０７は、配信情報処理部を構成する。
【００６３】
具体的には、ＢＣＭＣＳ処理部２０７は、ＢＣＭＣＳ（broadcast/multicast services）の仕様にしたがい、ブロードキャストやマルチキャストを用いて複数の送信先に向けて同時に配信される同一内容のコンテンツを受信する。
【００６４】
記憶部２０９は、電話番号や電子メールのアドレス（送信先識別子）、及び電子メールなどを記憶する。また、記憶部２０９は、配信情報の配信タイミング（例えば、図８（ａ）〜（ｃ）に示したタイミングｔ１３）や、非配信情報（例えば、音声通話データＶ２）の送信または受信よりも優先して受信するべき配信コンテンツの名称（優先配信情報識別子）を記憶することができる。
【００６５】
操作部２１１は、無線通信端末２００Ａのユーザによって操作される各種キー及びバイブレータによって構成される。
【００６６】
特に、本実施形態では、操作部２１１は、ＢＣＭＣＳ処理部２０７が受信している配信コンテンツＣ１（受信配信情報）のうち、まだ受信していない未受信部分Ｃ１ａ（図７（ｂ），（ｃ）参照）の情報量が所定の閾値以上である場合、配信コンテンツＣ１の受信継続または音声通話データＶ１の送信の何れかを無線通信端末２００Ａのユーザに選択させる。本実施形態では、操作部２１１と表示部２１３とによって、選択処理部が構成される。
【００６７】
また、操作部２１１は、複数の配信情報のうち、非配信情報（例えば、音声通話データＶ２）の送信または受信よりも優先して受信するべき優先配信情報（例えば、配信コンテンツＣ２）を無線通信端末２００Ａのユーザに指定させることができる。
【００６８】
さらに、操作部２１１は、ユーザによって指定された配信コンテンツＣ２の名称（優先配信情報識別子）を記憶部２０９に記憶することができる。本実施形態では、操作部２１１と表示部２１３とによって、指定処理部が構成される。
【００６９】
表示部２１３は、小型の表示機によって構成される。表示部２１３は、制御部２０３による制御に基づいて、様々な情報を表示する。
【００７０】
（無線通信装置の動作）
次に、上述した無線通信端末２００Ａの動作について説明する。具体的には、（１）配信情報受信中における音声通話の開始（電子メールの送信）、（２）音声通話中における配信情報の受信、（３）音声通話開始時における配信情報の受信、について説明する。
【００７１】
（１．１）配信情報受信中における音声通話の開始
図３は、無線通信端末２００Ａが、ＢＣＭＣＳによって配信されている配信情報の受信中において音声通話を開始する場合の動作フローを示す。また、図７（ａ）〜（ｃ）は、無線通信端末２００Ａによって送信または受信される配信コンテンツＣ１（配信情報）及び音声通話データＶ１の状態を示す。
【００７２】
ステップＳ１０において、無線通信端末２００Ａは、特定の電話番号への発信、或いは受信している配信コンテンツＣ１が特定の番組に該当するか否かを判定する。
【００７３】
具体的には、無線通信端末２００Ａは、記憶部２０９に記憶されている電話番号（送信先識別子）、及び配信コンテンツＣ１の名称（優先配信情報識別子）に基づいて、当該判定を実行する。
【００７４】
特定の電話番号への発信、或いは特定の番組に該当しない場合（ステップＳ１０のＮＯ）、ステップＳ２０において、無線通信端末２００Ａは、まだ受信していない未受信部分Ｃ１ａの情報量を判定（例えば、１Ｍｂ未満か否か）する。なお、無線通信端末２００Ａは、未受信部分Ｃ１ａを受信するために必要なダウンロード時間に基づいて、当該判定を実行してもよい。
【００７５】
未受信部分Ｃ１ａの情報量が大きい場合、つまり、未受信部分Ｃ１ａが１Ｍｂ以上の場合（ステップＳ２０の“大”）、ステップＳ３０において、無線通信端末２００Ａは、無線通信端末２００Ａのユーザに対して、指定された電話番号に発信するか否かを確認する画面を表示し、ユーザに実行すべき動作を選択させる。
【００７６】
ここで、図１０（ａ）は、ステップＳ３０において表示される画面例を示す。図１０（ａ）に示すように、無線通信端末２００Ａは、「今すぐ発信」（発信）、「後で発信」（延期）または「キャンセル」の何れかをユーザに選択させる。
【００７７】
「後で発信」が選択された場合（ステップＳ３０の“延期”）、ステップＳ４０において、無線通信端末２００Ａは、配信コンテンツＣ１の受信が完了するタイミングｔ３（図７（ｂ）参照）まで、指定された電話番号に発信せずに待機する。
【００７８】
ステップＳ５０において、無線通信端末２００Ａは、タイミングｔ３が到来すると、指定された電話番号に発信することを示す画面を表示する。
【００７９】
ここで、図１０（ｂ）は、ステップＳ５０において表示される画面例を示す。なお、図１０（ｂ）に示すように、無線通信端末２００Ａは、当該指定された番号への発信のキャンセルをユーザに選択させることもできる。
【００８０】
未受信部分Ｃ１ａの情報量が小さい場合、つまり、未受信部分Ｃ１ａが１Ｍｂ未満の場合（ステップＳ２０の“小”）、ステップＳ６０において、無線通信端末２００Ａは、配信コンテンツＣ１の受信が完了するタイミングｔ２（図７（ｃ）参照）まで、指定された電話番号に発信せずに待機する。
【００８１】
ここで、図１２（ａ）は、ステップＳ６０において表示される画面例を示す。図１２（ａ）に示すように、無線通信端末２００Ａは、配信コンテンツＣ１を受信中であること、及び受信完了までの残り時間を表示する。なお、無線通信端末２００Ａは、当該残り時間を表示しなくてもよい。
【００８２】
また、特定の電話番号への発信、或いは特定の番組に該当する場合、及び「今すぐ発信」が選択された場合（ステップＳ１０のＹＥＳ）、ステップＳ７０において、無線通信端末２００Ａは、タイミングｔ１（図７（ａ）参照）において配信コンテンツＣ１の受信を中止する。
【００８３】
ステップＳ８０において、無線通信端末２００Ａは、指定された電話番号に発信する。
【００８４】
（１．２）配信情報受信中における電子メールの送信
図４は、無線通信端末２００Ａが、配信コンテンツＣ１の受信中において電子メールを送信する場合の動作フローを示す。なお、当該動作フローは、図３に示した配信コンテンツＣ１の受信中において音声通話を開始する場合の動作フローとほぼ同様であるため、以下、図３に示した動作フローと異なる部分について説明する。
【００８５】
ステップＳ１３０において、無線通信端末２００Ａは、無線通信端末２００Ａのユーザに対して、指示された電子メールをすぐに送信するか否かを確認する画面を表示し、ユーザに実行すべき動作を選択させる。
【００８６】
ここで、図１１（ａ）は、ステップＳ１３０において表示される画面例を示す。なお、電子メールの送信の場合、送信対象のメールを送信しない場合、当該メールを保存することができる。
【００８７】
また、図１１（ｂ）は、ステップＳ１５０において表示される画面例を示す。具体的には、図１１（ｂ）は、配信コンテンツＣ１の受信が完了したときに表示される画面例を示す。なお、無線通信端末２００Ａは、ステップＳ１５０において、図１１（ｂ）に示す画面例に代えて、図１２（ｂ）に示す画面例を表示してもよい。つまり、無線通信端末２００Ａは、配信コンテンツＣ１の受信が完了するまでの待機中に、当該電子メールを送信せずに保存、または送信を取り止める（キャンセル）ことをユーザに選択させることもできる。
【００８８】
（１．３）特定の電話番号及び番組の登録
図１３（ａ）及び（ｂ）は、上述したステップＳ１０（Ｓ１１０）の処理において用いられる特定の電話番号（送信先識別子）、及び特定の番組の名称（優先配信情報識別子）に関する画面例を示す。
【００８９】
具体的には、図１３（ａ）は、音声通話に優先して受信する配信コンテンツ（番組）ののリストを示す。図１３（ａ）に示すように、「今日のニュース」、「スポーツハイライト」、「渋滞情報」及び「今日の天気」が、音声通話に優先して受信する番組として登録されている。
【００９０】
また、図１３（ｂ）は、配信コンテンツの受信に優先して音声通話を開始する電話番号（ユーザ名）のリストを示す。図１３（ｂ）に示すように、特定の電話番号（例えば、０９０１２３４１１１１）が、配信コンテンツの受信に優先して音声通話を開始する電話番号として登録されている。
【００９１】
（２）音声通話中における配信情報の受信
図５は、無線通信端末２００Ａが、音声通話中において、ＢＣＭＣＳによって配信される配信情報の受信する場合の動作フローを示す。また、図８（ａ）〜（ｃ）は、無線通信端末２００Ａによって送信または受信される配信コンテンツＣ２（配信情報）及び音声通話データＶ２の状態を示す。
【００９２】
ステップＳ２１０において、無線通信端末２００Ａは、音声通話中において、受信すべき配信コンテンツＣ２の配信開始時刻が迫っていることを表示する。具体的には、無線通信端末２００Ａは、タイミングｔ１１（図８（ａ）参照）において配信コンテンツＣ２の配信開始時刻が迫っていることを表示する。
【００９３】
ここで、図１４（ａ）は、ステップＳ２１０において表示される画面例を示す。図１４（ａ）に示すように、無線通信端末２００Ａは、配信コンテンツを受信する「配信コンテンツ受信」、音声通話を終了する「終話」、または音声通話を継続する「継続」の何れかをユーザに選択させる。
【００９４】
ステップＳ２２０において、無線通信端末２００Ａは、「配信コンテンツ受信」、「終話」または「継続」の中からユーザが何れを選択したかを判定する。
【００９５】
「配信コンテンツ受信」が選択された場合（ステップＳ２２０の“配信コンテンツ受信”）、ステップＳ２３０において、無線通信端末２００Ａは、配信コンテンツＣ２の受信開始直前に、音声通話用として設定されている通話路を強制的に切断する。
【００９６】
具体的には、無線通信端末２００Ａは、タイミングｔ１２（図８（ｂ）参照）において音声通話データＶ２の送受信に用いられていた当該通話路を強制的に切断する。
【００９７】
「終話」が選択された場合（ステップＳ２２０の“終話”）、ステップＳ２４０において、無線通信端末２００Ａは、ユーザによる終話の操作に応じて、音声通話用として設定されている通話路を切断する。
【００９８】
具体的には、無線通信端末２００Ａは、音声通話データＶ２の送受信に用いられていた当該通話路を、配信開始時刻であるタイミングｔ１３（図８（ａ）参照）よりも前に切断する。
【００９９】
ステップＳ２５０において、無線通信端末２００Ａは、配信コンテンツＣ２の受信待ちであることを表示する。
【０１００】
ステップＳ２６０において、配信コンテンツＣ２の配信開始時刻（タイミングｔ１３）が到来すると、無線通信端末２００Ａは、配信コンテンツＣ２の受信を開始し、配信コンテンツＣ２を受信中であることを表示する。
【０１０１】
一方、「継続」が選択された場合（ステップＳ２２０の“継続”）、ステップＳ２７０において、無線通信端末２００Ａは、配信コンテンツＣ２（番組）が再配信されるか否かを判定する。
【０１０２】
配信コンテンツＣ２が再配信されない場合（ステップＳ２７０の“再配信なし”）、ステップＳ２８０において、無線通信端末２００Ａは、音声通話の継続によって配信コンテンツＣ２の受信機会を逸したことに伴う配信コンテンツＣ２の受信失敗処理を実行する。
【０１０３】
配信コンテンツＣ２が再配信される場合（ステップＳ２７０の“再配信あり”）、ステップＳ２９０において、無線通信端末２００Ａは、配信コンテンツＣ２の受信について再スケジューリング処理を実行する。
【０１０４】
具体的には、配信コンテンツＣ２がタイミングｔ１４（図８（ｃ）参照）において再配信される場合、無線通信端末２００Ａは、タイミングｔ１４から配信コンテンツＣ２の受信を開始するように受信スケジュールを変更する。
【０１０５】
ここで、図１４（ｂ）は、ステップＳ２９０において表示される画面例を示す。図１４（ｂ）に示すように、無線通信端末２００Ａは、配信コンテンツＣ２が再配信されること及び配信コンテンツＣ２の受信について再スケジューリングしたことを表示する。
【０１０６】
（３）音声通話開始時における配信情報の受信
図６は、無線通信端末２００Ａが、音声通話の開始時に、ＢＣＭＣＳによって配信される配信情報の配信時刻が迫っている場合の動作フローを示す。また、図９（ａ）〜（ｃ）は、無線通信端末２００Ａによって送信または受信される配信コンテンツＣ３（配信情報）及び音声通話データＶ３の状態を示す。
【０１０７】
ステップＳ３１０において、無線通信端末２００Ａは、ユーザによって音声通話の開始が要求された場合、具体的には、音声通話の発信操作が行われた場合、受信すべき配信コンテンツＣ３の配信開始時刻が迫っていることを表示する。具体的には、無線通信端末２００Ａは、タイミングｔ２１とタイミングｔ２２との間（図９（ａ）参照）において発信操作が行われた場合、配信コンテンツＣ３の配信開始時刻が迫っていることを表示する。
【０１０８】
具体的には、無線通信端末２００Ａは、音声通話の発信を取り止める「発信キャンセル」、または配信コンテンツＣ３の受信を取り止める「受信キャンセル」の何れかをユーザに選択させる。
【０１０９】
ステップＳ３２０において、無線通信端末２００Ａは、「発信キャンセル」または「受信キャンセル」のうち、ユーザが何れを選択したかを判定する。
【０１１０】
「発信キャンセル」が選択された場合（ステップＳ３２０の“発信キャンセル”）、無線通信端末２００Ａは、ステップＳ３３０及びＳ３４０の処理を実行する。ステップＳ３３０及びステップＳ３４０の処理は、ステップＳ２５０及びＳ２６０（図５参照）の処理とほぼ同様である。
【０１１１】
「受信キャンセル」が選択された場合（ステップＳ３２０の“受信キャンセル”）、無線通信端末２００Ａは、ステップＳ３５０〜Ｓ３７０の処理を実行する。ステップＳ３５０〜Ｓ３７０の処理は、ステップＳ２７０〜Ｓ２９０（図５参照）の処理とほぼ同様である。
【０１１２】
ステップＳ３７０の処理において、無線通信端末２００Ａは、配信コンテンツＣ３がタイミングｔ２３（図９（ｃ）参照）において再配信される場合、タイミングｔ２３から配信コンテンツＣ２の受信を開始するように受信スケジュールを変更する。
【０１１３】
ステップＳ３８０において、無線通信端末２００Ａは、指定された電話番号に発信する。その後、当該発信操作によって設定された通話路を用いて音声通話データＶ３の送受信が、配信コンテンツＣ３の配信開始時刻であるタイミングｔ２２以降においても継続される（図９（ｂ），（ｃ）参照）。
【０１１４】
（４）変更例
図５及び図６に示す動作フローでは、配信コンテンツが再配信されない場合、当該配信コンテンツを受信せずに受信失敗処理が実行される（ステップＳ２８０及びＳ３６０）。
【０１１５】
無線通信端末２００Ａは、受信失敗処理の実行に代えて、再配信されない配信コンテンツを強制的に受信してもよい。ここで、図１５（ａ）は、再配信されない配信コンテンツを強制的に受信する場合に表示される画面例を示す。
【０１１６】
また、無線通信端末２００Ａは、再配信されるか否かにかかわらず、配信コンテンツの情報量に応じて、配信コンテンツを強制的に受信してもよい。ここで、図１５（ｂ）は、信コンテンツの情報量に応じて、配信コンテンツを強制的に受信する場合に表示される画面例を示す。
【０１１７】
（作用・効果）
無線通信端末２００Ａによれば、配信コンテンツの受信と、音声通話とが競合する場合において、配信コンテンツの状態（例えば、未受信部分Ｃ１ａの情報量や配信コンテンツが再配信されるか否か）によって、ユーザの操作を介在させることなく、配信コンテンツを受信するか否かが決定される。
【０１１８】
また、無線通信端末２００Ａによれば、ユーザは、配信コンテンツの受信と、音声通話とが競合する場合、配信コンテンツの受信または音声通話の何れを優先するかを簡単な操作によって選択することができる。
【０１１９】
つまり、無線通信端末２００Ａによれば、配信コンテンツ（配信情報）の受信と、音声通話データ（非配信情報）の送信または受信とによって無線通信部２０１が共用されていても、配信コンテンツの受信と、音声通話とが競合する場合における無線通信端末２００Ａの操作性を向上することができる。さらに、無線通信端末２００Ａによれば、必要な配信コンテンツをより確実に受信することができる。
【０１２０】
（その他の実施形態）
上述したように、本発明の一実施形態を通じて本発明の内容を開示したが、この開示の一部をなす論述及び図面は、本発明を限定するものであると理解すべきではない。この開示から当業者には様々な代替実施の形態が明らかとなろう。
【０１２１】
例えば、無線通信端末２００Ａは、図３〜図６に示す動作のすべてを必ずしも実行しなくてもよい。例えば、無線通信端末２００Ａは、図３及び図４に示す動作のみを実行するようにしてもよい。
【０１２２】
また、上述した実施形態では、表示部２１３に表示される画面によってユーザに情報を提供する形態としたが、バイブレータによる振動、或いは音響信号による情報の提供を、画面表示に代えて、または画面表示と併用してもよい。
【０１２３】
このように、本発明は、ここでは記載していない様々な実施の形態などを含むことは勿論である。したがって、本発明の技術的範囲は、上述の説明から妥当な特許請求の範囲に係る発明特定事項によってのみ定められるものである。
【図面の簡単な説明】
【０１２４】
【図１】本発明の実施形態に係る移動体通信システムの全体概略構成図である。
【図２】本発明の実施形態に係る無線通信装置の機能ブロック構成図である。
【図３】本発明の実施形態に係る無線通信装置がＢＣＭＣＳによって配信されている配信情報の受信中において音声通話を開始する場合の動作フロー図である。
【図４】本発明の実施形態に係る無線通信装置が配信情報の受信中において電子メールを送信する場合の動作フロー図である。
【図５】本発明の実施形態に係る無線通信装置が音声通話中においてＢＣＭＣＳによって配信される配信情報の受信する場合の動作フロー図である。
【図６】本発明の実施形態に係る無線通信装置が音声通話の開始時にＢＣＭＣＳによって配信される配信情報の配信時刻が迫っている場合の動作フロー図である。
【図７】本発明の実施形態に係る無線通信装置によって送信または受信される配信情報及び非配信情報の状態を示す図である。
【図８】本発明の実施形態に係る無線通信装置によって送信または受信される配信情報及び非配信情報の状態を示す図である。
【図９】本発明の実施形態に係る無線通信装置によって送信または受信される配信情報及び非配信情報の状態を示す図である。
【図１０】本発明の実施形態に係る無線通信装置において表示される画面例である。
【図１１】本発明の実施形態に係る無線通信装置において表示される画面例である。
【図１２】本発明の実施形態に係る無線通信装置において表示される画面例である。
【図１３】本発明の実施形態に係る無線通信装置において表示される画面例である。
【図１４】本発明の実施形態に係る無線通信装置において表示される画面例である。
【図１５】本発明の変更例に係る無線通信装置において表示される画面例である。
【符号の説明】
【０１２５】
１０…移動体通信システム、５０…自動車、１００…通信ネットワーク、１１０…無線基地局、１２０…ＢＣＭＣＳコントローラ、１３０…コンテンツサーバ、２００Ａ，２００Ｂ…無線通信端末、２０１…無線通信部、２０３…制御部、２０５…通信処理部、２０７…ＢＣＭＣＳ処理部、２０９…記憶部、２１１…操作部、２１３…表示部、２５０…無線通信カードモジュール、Ｃ１〜Ｃ３…配信コンテンツ、Ｃ１ａ…未受信部分、Ｖ１〜Ｖ３…音声通話データ
【図１】
0004721918.tif 000002
【図２】
0004721918.tif 000003
【図３】
0004721918.tif 000004
【図４】
0004721918.tif 000005
【図５】
0004721918.tif 000006
【図６】
0004721918.tif 000007
【図７】
0004721918.tif 000008
【図８】
0004721918.tif 000009
【図９】
0004721918.tif 000010
【図１０】
0004721918.tif 000011
【図１１】
0004721918.tif 000012
【図１２】
0004721918.tif 000013
【図１３】
0004721918.tif 000014
【図１４】
0004721918.tif 000015
【図１５】
0004721918.tif 000016